(57)【要約】【課題】  飛距離、操作性、着水後の水中での動作、釣り針の位置を好適化したルアーの提供。【解決手段】  ルアー１は、板状の部材２と、その板状の部材２の一部を接合して固定される重錘３と、釣り針６を備えたルアーに係る。板状の部材２は、道糸８を固定するためのラインアイ４と、釣り針６を固定するためのフックアイ５を備える。板状の部材２の形状、ラインアイ４の位置、フックアイ５の位置及び重錘３の形状と位置を適正に配置することにより、課題の解決となる。【選択図】図１
2016140354.tif 000002
【特許請求の範囲】
【請求項１】
板状の部材２と、その板状の部材２の一部を接合して固定される重錘３と、釣り針６を備えた釣り用のルアーで、板状の部材２には道糸を固定するための貫通孔たるラインアイ４と釣り針を固定するための貫通孔たるフックアイ５を備え、板状の部材２の形状、ラインアイ４の位置、フックアイ５の位置及び重錘３の形状と位置を好適化し、ルアーを投げた時の飛距離及び操作性、水中での姿勢及び動作を特徴とするルアー。
【請求項２】
請求項１のルアー１において、釣り針６を固定するためのフックアイ５の位置を適正な位置にすることにより、魚の食い付きを好適化したこと、水中の底にありうる凹凸などの障害物に引っ掛かりにくいことを特徴とするルアー。
【発明の詳細な説明】
【技術分野】
【０００１】  本発明は、水中に生息する魚を釣るために使用するルアーに関する。
【背景技術】
【０００２】  ルアーは、竿にリールを取り付けた釣り具から出た道糸にルアーを固定し、投げることにより、空中を飛びいずれ着水して水面又は水中に沈む。着水以後リールを巻き取ることによりルアーが水流を受け動作することで、それを見た肉食魚は餌と勘違いし食い付き、ルアーに固定された釣り針に掛かり釣りあげられる。【０００３】  このようなルアーは様々な種類がある。たとえば、特許文献１に開示されたようなバイブレーション型のルアー、特許文献２に開示されたようなミノー型のルアー、そのほかにもいろいろな種類のルアーがある。
【先行技術文献】
【特許文献】
【０００４】
【特許文献１】  特開平９−２４８０９４
【特許文献２】  特開平９−２４８０９９
【発明の概要】
【発明が解決しようとする課題】
【０００５】  同じ重さのルアーを投げた時に、飛距離と操作性のあるルアー。【０００６】  今までの技術では、投げる方向に重心がある場合、水中でルアーが好適な動作をしなかったが、重心が投げる方向にあっても好適な動作をするルアー。【０００７】  餌と勘違いをし食い付こうとした魚を、釣り針に掛かりやすい釣り針及びフックアイの位置で、水中の障害物に引っ掛かりにくいルアー。【０００８】  魚が小さな餌を捕食している状況で、ルアー全体の大きさより小さく見えるルアー。
【課題を解決するための手段】
【０００９】  第一の発明は、板状の部材２に重錘３を結合し、ルアー１を投げ空中にある時に、ルアー１の全体の中で重錘３が投げようとする方向に位置することで、重心が投げる方向にあり飛距離を大きくしうる。加え板状の部材２は、投げる方向の反対に位置し尾翼の役割をしうることで、投げる方向の安定性を損ないにくくすることができ、飛距離と操作性を確保する。【００１０】  第二の発明は、第一の発明の重心が投げる方向にあっても、水中で安定して動作するように、板状の部材の形状及び重錘３の位置及びラインアイ４の位置及びフックアイ５の位置の形成からルアー１が構成され、ラインアイ４に固定された道糸８を張った状態及び引いた時に、板状の部材２の重錘３が結合している反対側９が、ラインアイ４の位置よりも道糸８方向に傾きと質することで、バランスを崩しにくく好適に動作するように形成する。【００１１】  第三の発明は、板状の部材２は見る方向により大きさに違いがあるように形成し、重錘３は立体の形状で、見る方向にかかわらず大きさの違いを少なくし、魚は重錘３の立体の形状に意図して食い付くように見せる。【００１２】  第４の発明は、第三の発明で重錘３の立体の形状に食い付く魚を、釣り針６に掛かりやすくするために、ラインアイ４に固定した道糸８を張った状態及び引いた時に、重錘３の立体の形状の上側にありうるように、フックアイ５を配置する。またフックアイ５をそこの位置に配置することにより、水中のそこにありうる障害物に釣り針６が掛かりずらい配置にもある。【００１３】  （用語の説明）
板状の部材２は、視野的に見えにくい透明な樹脂製で、適正な強度が得られる材質が望ましく、釣ろうとする魚種及び使用状況により適正な強度を得られない場合は、鋼製などの金属製の材質でもよい。重錘３の材質は、鉛、タングステンなどに代表される、高比重の素材が望ましい。
【発明の効果】
【００１４】  本願第一の発明によれば、飛距離と操作性を改善したルアーを提供することができた。【００１５】  本願第二の発明によれば、バランスを崩しにくく動作することができ、魚をおびき寄せることのできるルアーを提供することができた。【００１６】  本願第三の発明及び第四の発明によれば、魚の食い付きが改善され、水中のそこにありうる障害物に掛かりにくいルアーを提供することができた。
【図面の簡単な説明】
【００１７】
【図１】本発明の実施形態における使用状況を示す側面図である。
【図２】本発明の実施形態を示す側面図である。
【図３】本発明の実施形態を示す正面図である。
【図４】本発明の実施形態を示す平面図である。
【図５】本発明の実施形態を示す組み立て斜視図である。
【図６】従来の技術を示す斜視図である。
【図７】本発明の実施形態における使用状況を示す斜視図である。
【図８】本発明の実施形態における使用状況を示す斜視図である。
【図９】本発明の実施形態における使用状況を示す斜視図である。
【図１０】従来の技術を示す斜視図である。
【発明を実施するための形態】
【００１８】  本発明の実施形態を図面を参照して説明する。ここで用いる図は、図５から図９である。
【００１９】  図５に示す本実施形態に係るルアー１は、既存にあるルアーの種類に属さないルアーで、先端がナイフ型の板状の部材２と、立体形状である重錘３が結合してあり、板状の部材２は、道糸８を固定するための貫通孔たるラインアイ４と、釣り針６を固定するためのフックアイ５を備える。
【００２０】  既存のルアーの種類と本実施形態のルアー１との違いは、既存のルアーは、スプーン型、スピナー型、ミノー型、バイブ型、トップウォーター型、クランクベイト型、スピナーベイト型、ラバージグ型、ビックベイト型、スイムベイト型、ワーム型、メタルジグ型、メタルバイブ型、エギ型、などが代表される。視野的には、メタルバイブ型が類似しているようだが、図６によると、メタルバイブ１１の側面からは、小魚の魚体に似せた形状で、金属製の板１２には貫通孔たるラインアイ１３と貫通孔たるフックアイ１４を備え、金属製の板１２を挟むようにウエイト１５を取り付け形成される。このように形成されたメタルバイブ１１は、ラインアイ１３に道糸１６を持ち上げメタルバイブがつり下がる状態の時に、メタルバイブ１１の先端ａからもっとも遠くに位置する端ｂを通過する線ｃは、水平に近い状態となる。図７によると、本実施形態のルアー１は、先端ａとからもっとも遠くに位置する端ｂを通過する線ｃは、垂直に近いである。このことから性質の違うルアーである。
【００２１】  図８に示すように、本実施形態に係るルアー１は、釣具１０に固定された道糸８の先端に固定され、投げることにより空中を飛びいずれ着水し水中に沈んでいく。完全に沈む前に道糸８を張ることにより、ルアー１は左右にゆらゆら揺れながら沈んでいく。次に道糸８を引くことにより、ルアー１は左右に震えながら引かれる方向に進む。ルアー１が左右にゆらゆら揺れるもしくは、震える動作をすることにより、ルアー１の一部である立体の形状をした重錘３も左右に動作し魚をおびき寄せ食い付かせる。その時に立体の形状をした重錘３のすぐ上側にありうる、釣り針６に魚が掛かり釣り上げることができる。また従来の技術のルアーでは、小魚に類似したルアー本体に魚を食い付かせる。その従来のルアーは、道糸を引いた状態にあるルアーの姿勢が水平にある時、そのルアーのフックアイ及び釣り針の位置は、ルアーの後方、あるいはルアーの後方と下部にある。本実施形態のルアー１は、フックアイ５及び釣り針６は、上記のように意図して食い付かせる立体の形状の重錘３のすぐ上側に位置し、この技術は今までにはない新規の技術である。
【００２２】  図９図に示すように、本実施形態に係るルアー１は、ラインアイ４に固定された道糸８を引いた状態の時に、水中の底に凹凸があった場合（ここの図では凸部）、ルアー１はラインアイ４が位置している側が最初に接触し、釣り針６はラインアイ４の反対に位置で、立体の形状の重錘３の上側にありうるため、凸部への接触がしずらく掛かりにくい。
【産業上の利用可能性】
【００２３】  本発明は、釣具、釣り用備品の製造業、釣具、釣り用品のレンタル業などのレジャー産業において利用可能性を有する。
【符号の説明】
【００２４】  １  ルアー本体
２  板状の部材
３  重錘
４  ラインアイ
５  フックアイ
６  釣り針
８  道糸
９  重錘が結合している反対側
１０  釣具
１１  従来技術のルアー本体
１２  従来技術のルアーの金属製の板
１３  従来技術のルアーのラインアイ
１４  従来技術のルアーのフックアイ
１５  従来技術のルアーのウエイト
１６  従来技術のルアーの道糸
ａ  ルアー本体の先端
ｂ  ルアー本体の先端から最も遠くに位置する端
ｃ  先端と先端から最も遠くに位置する端を通過する線
【図１】
2016140354.tif 000003
【図２】
2016140354.tif 000004
【図３】
2016140354.tif 000005
【図４】
2016140354.tif 000006
【図５】
2016140354.tif 000007
【図６】
2016140354.tif 000008
【図７】
2016140354.tif 000009
【図８】
2016140354.tif 000010
【図９】
2016140354.tif 000011
【図１０】
2016140354.tif 000012